(57)【要約】【課題】断水等で水道水側が負圧になって、風呂等の汚れた水が水道管に逆流するのを確実に防ぐ機器への注湯装置を提供することを目的とする。【解決手段】逆流防止装置１３は、注水弁もしくは注湯弁の近傍の水圧と逆流防止装置内の水圧との圧力差により開閉する大気開放弁２７を有し、大気開放弁における注水弁もしくは注湯弁の近傍の水圧を受ける面積と、逆流防止装置内の水圧を受ける面積とを、給湯使用後の後沸きで上昇する給湯回路内の圧力と水圧の比に比例した面積比としたことで、注湯を行った後の後沸きによる給湯回路内の圧力上昇により、大気開放弁２７が一瞬動作するため、その固着を自動的に防止し、風呂等の汚れた水が水道管に逆流するのを確実に防ぐことができる。【選択図】　図１
2004044837.tif 000002
【特許請求の範囲】
【請求項１】
給湯回路からの湯を供給する注湯弁と、水道水を供給する注水弁と、浴槽の残り湯を機器もしくは浴槽へ供給するため流路を切り換える流路切り換え弁と、前記注水弁の下流側で、かつ前記注湯弁からの湯と前記注水弁からの水道水とを混合する部分の上流側に配置された逆止弁と、逆止弁の下流側で、かつ前記残り湯が混合する部分の上流側に配置された逆流防止装置とを備え、前記逆流防止装置は、前記注水弁もしくは注湯弁の近傍の水圧と前記逆流防止装置内の水圧との圧力差により開閉する大気開放弁を有し、大気開放弁における注水弁もしくは注湯弁の近傍の水圧を受ける面積と、前記逆流防止装置内の水圧を受ける面積とを、給湯使用後の後沸きで上昇する前記給湯回路内の圧力と水圧の比に比例した面積比とした機器への注湯装置。
【請求項２】
注水弁もしくは注湯弁の近傍の水圧を受ける受圧部をダイアフラムとし、逆流防止装置内の圧力を受ける受圧部を大気開放弁とし、ダイアフラムおよび大気開放弁は連結し、かつ大気開放弁を開放される方向に付勢した請求項１に記載の機器への注湯装置。
【請求項３】
逆流防止装置は、水道水を供給する注水弁の下流直後に設けた請求項１または２に記載の機器への注湯装置。
【請求項４】
注湯弁は、給湯が終了した場合で、かつ機器への通水が行われていない場合に一定時間開弁する請求項１〜３のいずれか１項に記載の機器への注湯装置。
【発明の詳細な説明】
【０００１】
【発明の属する技術分野】
本発明は、水、給湯機からの湯、浴槽の残り湯等を洗濯機、洗浄装置、空調装置等へ供給する機器への注湯装置に関するものである。
【０００２】
【従来の技術】
従来、この種の注湯装置は、図６に示す通り、給湯および浴槽水の循環加熱ができる給湯機１２の外部、または、内部に接続され、洗濯機等の機器８へ水を供給する注水弁１と、機器８へ湯を供給する注湯弁２と、浴槽９の残り湯１０を機器８もしくは浴槽９へ供給するため流路を切り換える流路切り換え弁４と、機器８への通水の有無を検出する通水検出手段５と、機器８への給水モードを選択するリモコン３と、注水弁１、注湯弁２、流路切り換え弁４、通水検出手段５、接続される給湯機１２をリモコン３で選択されたモードによってそれぞれ動作させる制御装置７と、断水などで水道水の供給側が負圧等になって風呂等の汚れた水が水道管に逆流するのを防ぐための逆止弁６とから構成される。図中、１１は循環ポンプである。
【０００３】
そして、洗濯等を行う場合、機器８の洗いとすすぎを自動判別し、洗いの際はリモコン３で選択されたモードに従って、水、湯、残り湯１０のいずれかを機器８へ供給し、すすぎの際は水を供給するようになっている。ここで、断水などで水道水の供給側が負圧等になったときには、逆止弁６により風呂等の汚れた水が水道管に逆流するのを防ぐが、この逆止弁６にゴミ等が詰ることがあると、逆止弁６の働きが阻害されて、水が逆流する恐れがある。これを解決するために、逆止弁６とは別に逆流防止装置を設けて逆流を防止することも考えられている。
【０００４】
【発明が解決しようとする課題】
しかしながら、断水などで水道水の供給側が負圧等になり逆流防止装置が動作する機会は非常にまれなため、この逆流防止装置の弁を長期間、閉弁状態で保持すると、その状態で固着してしまい、必要なときに開弁しなくなり、断水時に動作せず汚水の逆流防止ができなくなってしまう恐れがある。
【０００５】
本発明は、前記課題を解決するもので、逆止弁の機能が阻害された状態で、断水等が発生した場合でも、汚れた水が水道管に逆流することを確実に阻止する機器への注湯装置を提供することを目的とするものである。
【０００６】
【課題を解決するための手段】
前記目的を達成するために、本発明の機器への注湯装置は、逆流防止装置は、注水弁もしくは注湯弁の近傍の水圧と逆流防止装置内の水圧との圧力差により開閉する大気開放弁を有し、大気開放弁における注水弁もしくは注湯弁の近傍の水圧を受ける面積と、前記逆流防止装置内の水圧を受ける面積とを、給湯使用後の後沸きで上昇する給湯回路内の圧力と水圧の比に比例した面積比としたものである。
【０００７】
これにより、機器へ注湯を行った後には後沸きで給湯回路内の圧力が上昇し逆流防止装置内を通過する水の圧力も注水弁もしくは注湯弁近傍の水圧より上昇するため、大気開放弁における受圧部の面積比で大気開放弁は確実に一瞬動作する。これにより大気開放弁の固着を自動的に防止することができ、逆止弁の機能が阻害された状態で、断水等が発生した場合でも、汚れた水が水道管に逆流することを確実に阻止する。
【０００８】
【発明の実施の形態】
請求項１に記載の発明は、給湯回路からの湯を供給する注湯弁と、水道水を供給する注水弁と、浴槽の残り湯を機器もしくは浴槽へ供給するため流路を切り換える流路切り換え弁と、前記注水弁の下流側で、かつ前記注湯弁からの湯と前記注水弁からの水道水とを混合する部分の上流側に配置された逆止弁と、逆止弁の下流側で、かつ前記残り湯が混合する部分の上流側に配置された逆流防止装置とを備え、前記逆流防止装置は、前記注水弁もしくは注湯弁の近傍の水圧と前記逆流防止装置内の水圧との圧力差により開閉する大気開放弁を有し、大気開放弁における注水弁もしくは注湯弁の近傍の水圧を受ける面積と、前記逆流防止装置内の水圧を受ける面積とを、給湯使用後の後沸きで上昇する前記給湯回路内の圧力と水圧の比に比例した面積比とした機器への注湯装置とすることにより、機器へ注湯を行った後には後沸きで給湯回路内の圧力が上昇し逆流防止装置内を通過する水の圧力も注水弁もしくは注湯弁の近傍の水圧より上昇するため、大気開放弁における受圧部の面積比で大気開放弁は確実に一瞬動作する。これにより大気開放弁の固着を自動的に防止することができ、逆止弁の機能が阻害された状態で、断水等が発生した場合でも、汚れた水が水道管に逆流することを確実に阻止する。
【０００９】
請求項２に記載の発明は、注水弁もしくは注湯弁の近傍の水圧を受ける受圧部をダイアフラムとし、逆流防止装置内の圧力を受ける受圧部を大気開放弁とし、ダイアフラムおよび大気開放弁は連結し、かつ大気開放弁を開放される方向に付勢した請求項１に記載の機器への注湯装置とすることにより、シンプルな構成で所期の効果を得ることができる。
【００１０】
請求項３に記載の発明は、逆流防止装置は、水道水を供給する注水弁の下流直後に設けた請求項１または２に記載の機器への注湯装置とすることにより、注水弁、逆流防止装置をコンパクトにまとめることができ、より簡単な構成とすることが可能である。
【００１１】
請求項４に記載の発明は、注湯弁は、給湯が終了した場合で、かつ機器への通水が行われていない場合に一定時間開弁する請求項１〜３のいずれか１項に記載の機器への注湯装置とすることにより、機器へ注湯を行った後だけでなく、他の水栓で給湯を使用した後にも、後沸きで上昇した給湯回路内の圧力が逆流防止装置内まで伝わり、逆流防止装置内を通過する水の圧力が注水弁もしくは注湯弁近傍の水圧より上昇するため、大気開放弁が一瞬動作し、大気開放弁の固着を自動的に、かつより確実に防止することができるものである。
【００１２】
【実施例】
以下、本発明の実施例について、図面を用いて説明する。
【００１３】
（実施例１）
図１〜図３は、本発明の実施例１における機器への注湯装置を示す。全体構成については、図６で示した装置と同様であるので、同一部分に同一符号を付して説明を省略する。
【００１４】
図１に示すように、この実施例１においては、注水弁１の下流側で、かつ注湯弁２からの湯と注水弁１からの水道水とを混合する部分１４の上流側に、逆止弁６を１個多く配置している。そして、１３は注湯弁２と注水弁１の少なくとも一方の下流側で、かつ前記残り湯が混合する部分１５の上流側に配置された逆流防止装置であり、この実施例では、注湯弁２からの湯と注水弁１からの水道水とを混合する部分１４の下流側で、かつ残り湯が混合する部分１５の上流側に配置されている。１６は圧力導入管で、注水弁１の近傍１７の圧力を検知するように接続されているが、注湯弁２の近傍の圧力を検知するようにしても同じである。１８はト゛レン管で、後述する大気開放弁より排出される水を器具の外側に導くものである。１９はドレン管１８がケースを貫通する部分、２０はドレン受けである。２１は給湯回路である。
【００１５】
図２は逆流防止装置１３の詳細を示し、２２は水または湯の入口、２３はその出口である。２４は圧力導入管１６に接続されて注水弁１の近傍１７の圧力を導入する１次圧入口である。２５はダイアフラムで、注水弁１近傍の水圧を受ける受圧部２６を有している。２７は大気開放弁であり、ゴム等の弁体２８を有し、逆流防止装置１３内を通過する水圧を受ける受圧部２９を有している。受圧部２６の面積は受圧部２９の面積の１．５倍程度に設定されている。つまり、大気開放弁２７における注水弁１もしくは注湯弁の近傍の水圧を受ける面積と、前記逆流防止装置１３内を通過する水の水圧を受ける面積とを、給湯使用後の後沸きで上昇する給湯回路２１内の圧力と水圧の比に比例した面積比としている。３０は大気開放弁２７を開放する方向に付勢するばねである。このばね３０の力は、水が無い場合のように他に力が殆どかからない場合にのみ大気開放弁２７を開く程度の小さな力に設定している。３１は大気との連通口である。３２はダイアフラム２５と大気開放弁２７を連結する軸である。
【００１６】
以上のように構成された注湯装置について、以下その動作、作用を説明する。
【００１７】
この構成において、断水等の無い通常の動作について説明する。入口２２より入った水または湯の圧力は、大気開放弁２７の受圧部２９にかかる。一方、ダイアフラム２５の受圧部２６には注水弁１の近傍１７の圧力がかかる。この結果、受圧部２６の受圧面積が受圧部２９の受圧面積よりも大きく設定されているため、大気開放弁２７は閉止の方向に押される。ばね３０は、大気開放弁２７を開く方向に付勢しているが小さな力に設定しているため、大気開放弁２７は開かない。また、出口２３の下流側で閉止した場合でも、ダイアフラム２５の面積が大きいため、全体の合力は大気開放弁２７を閉じる方向に働く。
【００１８】
次に、断水等で注水弁１の近傍１７の圧力が大気圧あるいはそれ以下になった場合には、図３に示すように大気開放弁２７が開く方向に力が作用する。この結果として大気開放弁２７が開き、逆流防止装置１３内の水は連通口３１を通して外に放出され、圧力は開放される結果として、逆流が生じることがなくなる。
【００１９】
さらに、注湯弁２が開弁され、機器８に湯洗いのため注湯されている状態から機器８の弁が閉止され注湯が終了した場合、給湯回路２１内の圧力は後沸きにより水圧よりも上昇する。注湯弁２は機器８への注湯が停止してから３分程度経過後閉止されるため、給湯回路２１内の圧力上昇は大気開放弁２７の受圧部２９にもかかることとなる。また、注水弁１の下流側で、かつ注湯弁２からの湯と注水弁１からの水道水とを混合する部分１４の上流側には逆止弁６が取り付けられているため、注水弁１の近傍１７の圧力は水圧のままであり、ダイアフラム２５の受圧部２６には水圧がかかることとなる。図示していないが、給湯機１２には、後沸きや空焚きで給湯回路２１内の圧力が過度に上昇し管路が破壊されないよう１．７２ＭＰａ以下で動作する過圧逃がし弁が取り付けられている。また、使用水圧は通常０．１から０．６ＭＰａ程度の範囲であるが、高水圧地域では１ＭＰａ程度の場合もある。後沸きによる圧力上昇は水圧や給湯の加熱状態、給湯栓の閉止速度などにより異なるが、洗濯機等の機器８のように急激に水栓が閉止されるものでは圧力上昇が大きくなる傾向にある。これらより、湯洗いのための注湯後には給湯回路２１内の圧力は少なくとも水圧の１．５倍以上まで上昇すると思われる。ここで、水圧がかかる受圧部２６の面積は給湯回路２１内の圧力がかかる受圧部２９の面積の１．５倍程度に設定されているため、給湯回路２１内の圧力が水圧の１．５倍以上まで上昇した場合には、図３に示すように大気開放弁２７が開く方向に力が作用し、結果として大気開放弁２７が開くこととなり、ゴム等の弁体２８が固着するのを確実に防止することができる。
【００２０】
（実施例２）
図４は、本発明の実施例２における機器の注湯装置を示す。
【００２１】
実施例１との違いは、逆流防止装置１３が、注水弁１の下流直後に設けられていることである。すなわち、注水弁１の下流側に位置する逆止弁６の直後３３の位置にあることである。これは、給湯機１２に逆流防止装置がすでに取り付けられている場合である。これによって、注水弁１と逆流防止装置１３との一体化等が可能になり、コンパクトにまとめることができ、より簡単な構成とすることが可能である。
【００２２】
（実施例３）
図５は、本発明の実施例３における機器の注湯装置を示す。
【００２３】
実施例１との違いは、制御装置３４により、給湯機１２からの信号により、給湯機１２で給湯の使用が終了したことを検出し、その時に洗濯機等の機器８への通水が行われていない場合には、制御装置３４により、１５秒程度の一定時間注湯弁２を開弁するようにしていることである。
【００２４】
これにより、洗濯機等の機器８への湯洗いのための注湯後だけでなく、給湯機１２に接続された他の水栓で給湯が使用された後にも、後沸きによる給湯回路２１内の圧力上昇が大気開放弁２７に作用し、大気開放弁２７が開くため、例えば、洗濯に湯洗いを使用しないユーザーにおいても、ゴム等の弁体２８が固着するのを防止することができる。
【００２５】
【発明の効果】
以上のように、本発明の機器への注湯装置によれば、逆止弁の機能が阻害された状態で、断水等が発生した場合でも、機器へ注湯を行った後には後沸きで給湯回路内の圧力が上昇し逆流防止装置内を通過する水の圧力も注水弁もしくは注湯弁近傍の水圧より上昇するため、大気開放弁は確実に一瞬動作する。これにより大気開放弁の固着を自動的に防止することができ、逆止弁の機能が阻害された状態で、断水等が発生した場合でも、汚れた水が水道管に逆流することを確実に阻止する。
【図面の簡単な説明】
【図１】本発明の実施例１における機器への注湯装置を示す全体構成図
【図２】同注湯装置における逆流防止装置の通常時の断面図
【図３】同注湯装置における逆流防止装置の開弁時の断面図
【図４】本発明の実施例２における機器への注湯装置を示す全体構成図
【図５】本発明の実施例３における機器への注湯装置を示す全体構成図
【図６】従来の機器への注湯装置を示す全体構成図
【符号の説明】
１　注水弁
２　注湯弁
４　流路切り換え弁
６　逆止弁
７、３４　制御装置
１３　逆流防止装置
２５　ダイアフラム
２７　大気開放弁
３０　ばね
【図１】
2004044837.tif 000003
【図２】
2004044837.tif 000004
【図３】
2004044837.tif 000005
【図４】
2004044837.tif 000006
【図５】
2004044837.tif 000007
【図６】
2004044837.tif 000008